(57)【特許請求の範囲】
【請求項１】
内側表面と外側表面とを有する眼球壁と、硝子体腔とを有する眼にインプラントするための眼球壁碇留固定装置（１０、２０、３０）であって、
前記眼球壁碇留固定装置（１０、２０、３０）はＬ字型またはＴ字型の要素を有し、該Ｌ字型またはＴ字型の要素は、
少なくとも１つの細長い碇部材（１１）であって、該少なくとも１つの細長い碇部材が、眼球壁の内側表面と外側表面との間の該眼球壁の厚さに対して横向きの方向へ延びて且つ眼球壁の組織内へ長手方向に完全に埋め込まれるように、眼球壁内への該少なくとも１つの細長い碇部材の長手方向の挿入が行われる、少なくとも１つの細長い碇部材と、
眼の硝子体腔内に眼内装置を支持するために、前記少なくとも１つの細長い碇部材（１１）に備えられる支持部材（１３）と、を有し、
各々の前記少なくとも１つの細長い碇部材（１１）は、約１ｍｍ乃至約２ｍｍの範囲の長さ、および約１００μｍ乃至約２００μｍの範囲の直径を有する、
ことを特徴とする眼球壁碇留固定装置（１０、２０、３０）。
【請求項２】
前記長さは１．５０ｍｍ±０．１０ｍｍの範囲であることを特徴とする請求項１に記載の眼球壁碇留固定装置（１０、２０、３０）。
【請求項３】
前記直径は１５０μｍ±１０μｍの範囲であることを特徴とする請求項１または２に記載の眼球壁碇留固定装置（１０、２０、３０）。
【請求項４】
前記固定装置は前記Ｌ字型の要素を有し、前記少なくとも１つの細長い碇部材は、眼球壁内に該碇部材の挿入が行われたときに前記眼球壁碇留固定装置を眼球壁に碇留するための、自碇式の先端（２２）を含む単一の細長い碇部材（２１）を有することを特徴とする請求項１乃至３のいずれかに記載された眼球壁碇留固定装置（２０）。
【請求項５】
前記固定装置は前記Ｔ字型の要素を有し、前記少なくとも１つの細長い碇部材は、前記眼球壁碇留固定装置がインプラントされるときに通る眼球壁の切開部を閉じることができるように、自碇式の先端を各々含む一対の反対方向を向く細長い碇部材（３１）を有することを特徴とする請求項１乃至３のいずれかに記載された眼球壁碇留固定装置（３０）。
【請求項６】
前記支持部材（１３）は前記眼内装置と統合的に形成されることを特徴とする請求項１乃至５のいずれかに記載された眼球壁碇留固定装置（１０、２０、３０）。
【請求項７】
前記眼内装置は眼内薬剤を投与することを特徴とする請求項６に記載された眼球壁碇留固定装置（１０、２０、３０）。
【請求項８】
前記眼内装置は眼内の生理学的測定値を取得することを特徴とする請求項６に記載された眼球壁碇留固定装置（１０、２０、３０）。
【請求項９】
前記支持部材は、眼の硝子体腔内の離れた眼内装置を支持するための取り付け器具を含むことを特徴とする請求項１乃至５のいずれかに記載された眼球壁碇留固定装置（１０、２０、３０）。
【発明の詳細な説明】
【技術分野】
【０００１】
本発明は眼球壁碇留固定装置に関する。
【背景技術】
【０００２】
本技術分野において眼球壁碇留固定装置が知られている。
Ｐａｒｅｌらの米国特許第５０９８４４３号明細書によれば、薬理学的な薬品の制御された投与のための、眼内および眼窩内のインプラント装置を図示、説明している。
【０００３】
Ｗｅｉｎｅｒらの米国特許第５４６６２３３号明細書によれば、眼の硝子体腔に薬剤を投与するために、眼の毛様体扁平部を横断して眼内へ薬剤を送達する鋲を図示、説明している。
【０００４】
Ａｖｅｒｙらの米国特許第５８３０１７３号明細書によれば、眼の硝子体腔に薬剤を投与するための、硝子体内の薬剤送達システム装置を図示、説明している。
【０００５】
Ｂｒｕｂａｋｅｒらの米国特許出願公開２００２／０１１０５９１号明細書によれば、眼球壁を縫合するための持続的な薬剤投与の送達装置を図示、説明している。
【特許文献１】米国特許第５０９８４４３号明細書
【特許文献２】米国特許第５４６６２３３号明細書
【特許文献３】米国特許第５８３０１７３号明細書
【特許文献４】米国特許出願公開２００２／０１１０５９１号明細書
【発明の開示】
【発明が解決しようとする課題】
【０００６】
本発明は、眼の硝子体腔内の眼内装置を支えるために、眼球壁に長手方向に挿入される少なくとも１つの細長い碇部材を有する、眼球壁碇留固定装置を提供する。本固定装置は毛様体扁平部と呼ばれる生体組織の欠けている眼球壁の周縁の帯へのインプラントを想定している。
【課題を解決するための手段】
【０００７】
平均的な成人の眼の毛様体扁平部の幅は、患者の鼻に向かう方向の最小幅ＷＮ約３．５ｍｍから、患者の側頭部に向かう方向の最大幅ＷＴ約４．５ｍｍまで増大する。本固定装置は、眼の毛様体扁平部の幅が広いということだけでなく、より接近しやすいため、好ましくは、側頭部側に碇留される。本固定装置は眼の毛様態扁平部に、厚さに対して横方向に碇留されることを想定している。本固定装置は取り出せるように設計してもよく、あるいは自碇式インプラントとして、または眼球壁を貫く切開部を閉じるために封鎖自碇式インプラントとして設計してもよい。本固定装置は、眼内薬剤の投与のための眼内装置と、あるいは、例えば緑内障を観察するための眼圧センサ等のような、観察するため、および／または診断するのための眼内の生理学的測定値を測定する眼内装置と統合して形成されてもよい。代替的に、本固定装置に取り付け器具が形成されてもよく、それにより、毛様体扁平部の周囲に配置される３つあるいはそれ以上の固定装置は、相対的に重い眼内装置を眼の硝子体腔内に支持することができる。
【発明を実施するための最良の形態】
【０００８】
発明を理解するため、ならびに、それが実際にどのように実行されるかを示すために、限定されない実施例として好ましい実施態様をここに説明すると共に、類似した部分には同じ番号が付された添付図面を参照する。
【０００９】
図１−３は、尖った先端１２を有する細長い碇部材１１と、支持部材１３とを含んだ概ねＬ字形構造をもつ、Ｌ字形の眼球壁碇留固定装置１０を示す。碇部材１１の長さＬは約１ｍｍから約２ｍｍの範囲、好ましくは１．５０ｍｍ±０．１０ｍｍであり、碇部材１１の直径Ｄは約１００μｍから約２００μｍの範囲、好ましくは１５０μｍ±１０μｍである。本固定装置１０は眼球壁内へのインプラントに適する生体適合性の材料で形成され、好ましくは、ある程度容易に撓んで眼の硝子体内の好ましい位置に眼内装置を配置するために、直角α＝９０°からわずかな弾性変形が可能となるように、ステンレス鋼で形成される。支持部材１３は、眼内薬剤投与のための薬剤投与カプセル１４（図１を参照）、観察および／あるいは診断の目的で眼球の測定値を取得するための電子センサ１６（図２を参照）等を供給してもよい。代替的に、支持部材１３は、離れた眼内装置１８を支持するための、取り付け器具１７を先端に有していてもよい（図３を参照）。取り付け器具１７はループ、フック、クリップ等で形成されてもよい。
【００１０】
図４は、固定装置１０と類似した構成のＬ字形眼球壁碇留固定装置２０を示しており、Ｌ字形眼球壁碇留固定装置２０は、毛様体扁平部内に長手方向の挿入が行われたときに、固定装置２０を眼の毛様体扁平部に碇留するための自碇式先端２２を含む自碇式の碇部材２１を有している。先端２２はとげ形状、フック形状等であってもよい。
【００１１】
図５は、固定装置１０と類似した構成のＴ字形眼球壁碇留固定装置３０を示しており、Ｔ字形眼球壁碇留固定装置３０は、一対の反対方向を向く細長い自碇式の碇部材３１を有している。固定装置３０は眼球壁を貫く切開部を閉じるために使用されてもよく、固定装置３０は眼にインプラントするときに通る切開部の両側壁を互いに引っ張るために、碇部材３１を切開部の対向する両側壁に挿入される。
【００１２】
図６は、角膜１０１、虹彩１０２、生来の水晶体１０６を含む水晶体嚢１０４を支える毛様体１０３、眼球壁１０７、硝子体腔１０８を有する眼１００を示す。眼球壁１０７は周縁の毛様体扁平部１０９を含んでおり、毛様体扁平部１０９の幅は、最小幅ＷＮの約３．５ｍｍから最大幅ＷＴの約４．５ｍｍの幅まで増大しており、毛様体扁平部１０９の厚さは、おおむね単一の厚さＴであり約１ｍｍの厚さである。切開部１１１は毛様体扁平部１０９内に作られ、固定装置１０は、薬剤を投与するカプセル１４を眼の硝子体腔１０８内に支持するために長手方向に挿入される碇部材１１と共に、眼１００にインプラントされる。切開部１１１は縫糸で縫合される。
【００１３】
図７は眼の毛様体扁平部１０９に碇留めされている固定装置２０と、切開部を縫合する縫糸を示す。図８は、縫合糸を必要とせずに眼の切開部を閉じるために、切開部の両側の壁を互いの方向に引っ張るように眼の毛様体扁平部１０９に碇留めされている固定装置３０を示す。図９は、眼の硝子体腔内に眼内装置１８を支えるために、眼の毛様体扁平部１０９の周りに０°、９０°、１８０°、および２７０°の位置に配置された、取り付け器具１７を有する４つの固定装置３０を示す。
【００１４】
限られた数の実施例に基づいて本発明を説明してきたが、本発明の多くの変形物、変更物、および他の応用は、添付された特許請求の範囲に包含されることを理解されたい。
【図面の簡単な説明】
【００１５】
【図１】眼内薬剤投与のための薬剤投与カプセル付きＬ字形眼球壁碇留固定装置を示す図である。
【図２】眼球の生理学的測定値を得るための電子センサ付きＬ字形眼球壁碇留固定装置を示す図である。
【図３】眼の硝子体腔内の離れている眼内装置を支持するためのＬ字形眼球壁碇留固定装置を示す図である。
【図４】自碇式Ｌ字形碇留固定装置の自碇部材を示す図である。
【図５】封鎖自碇式Ｔ字形固定装置に対向する自碇部材を示す図である。
【図６】眼の毛様体扁平部中に碇留されている図１に示す碇留固定装置の断面図、および碇部材の拡大図を示す図である。
【図７】眼の毛様体扁平部中における図４に示す型の碇留固定装置の拡大図を示す図である。
【図８】眼の毛様体扁平部中における図５に示す型の碇留固定装置の拡大図を示す図である。
【図９】眼の硝子体腔内で眼内装置を支持する図５に示す型の４つの碇留固定装置を示す図である。
【図１】
0004970956.tif 000002
【図２】
0004970956.tif 000003
【図３】
0004970956.tif 000004
【図４】
0004970956.tif 000005
【図５】
0004970956.tif 000006
【図６】
0004970956.tif 000007
【図７】
0004970956.tif 000008
【図８】
0004970956.tif 000009
【図９】
0004970956.tif 000010